(57)【要約】  【課題】  電力線へ信号を送出し、電力線から信号を抽出する信号送出抽出装置に関し、インピーダンス整合をとり易く、反射損失を低減することができる信号送出抽出装置を提供する。  【解決手段】  磁性体１には、信号線２を複数本（図においては、５本）並列巻きに複数回巻回してある。信号線２夫々の一端及び他端は、接続端子２ａ、２ｂ、…接続してあり、各接続端子を開閉するスイッチＳＷ１、ＳＷ２、…を設けてある。入力部５は、入力された並列数に基づいて入力信号をホールド回路４へ出力する。ホールド回路４は、入力された入力信号に基づいて、リレー３の接点駆動を制御し、スイッチＳＷ１、ＳＷ２、…を選択開閉する。【選択図】      図１
2007020114.tif 000002
【特許請求の範囲】
【請求項１】
電力線と、内部に該電力線を挿通する環状の磁性体に巻回した信号線との磁気結合により前記電力線へ信号を送出し、該電力線から信号を抽出する信号送出抽出装置において、
前記信号線は、
前記磁性体に複数並列に巻回してあることを特徴とする信号送出抽出装置。
【請求項２】
前記信号線夫々の同一極性の一端同士及び他端同士を接続する接続部を備え、
該接続部は、
前記信号線の一端同士及び他端同士を選択的に接続することにより、前記信号線の並列数を変更するようにしてあることを特徴とする請求項１に記載の信号送出抽出装置。
【請求項３】
前記信号線の並列数を設定する設定指示を受け付ける受付部を備え、
該受付部は、
受け付けた設定指示に基づいて、並列数を指定する指定信号を前記接続部へ出力するようにしてあり、
前記接続部は、
前記指定信号に基づいて、前記一端同士及び他端同士を選択開閉する選択開閉部を備えることを特徴とする請求項２に記載の信号送出抽出装置。
【請求項４】
抽出した信号の受信電力と閾値とを比較する比較手段を備え、
前記接続部は、
前記比較手段で比較した結果に基づいて、前記一端同士及び他端同士を選択開閉する選択開閉部を備えることを特徴とする請求項２に記載の信号送出抽出装置。
【発明の詳細な説明】
【技術分野】
【０００１】
本発明は、電力線へ信号を送出し、電力線から信号を抽出する信号送出抽出装置に関し、特に信号線と電力線との磁気結合により、非接触の状態で電力線に信号を送出し、電力線から信号を抽出する信号送出抽出装置に関する。
【背景技術】
【０００２】
需要家に電力を配電する電力線を利用したデータの通信は、電力線に沿って複数のモデムを設置し、搬送波を変調した信号を電力線に送出することにより行われている。
【０００３】
モデムから送信する信号を電力線に送出し、また、電力線から信号を抽出してモデムで受信するためには、電力線を挿通した環状のフェライトコア（磁性体）に信号線を巻回し、巻回した信号線と電力線との磁気結合により、信号の送出及び抽出をする信号送出抽出装置が用いられている。
【０００４】
しかし、信号線側から見た電力線側のインピーダンスと、モデムの出力インピーダンスとの間でインピーダンスに差（不整合）がある場合、信号を電力線に送出するとき及び電力線から抽出するときに、両インピーダンスの差の大きさに応じた反射損失が生じ、受信電力が低下する。
【０００５】
図７及び図８は従来の信号線側から見た電力線側のインピーダンス及び反射損失の例を示す説明図である。図７は電力線の線路インピーダンスが２５Ωの場合であり、図８は電力線の線路インピーダンスが１５０Ωの場合である。また、反射損失は、モデムの出力インピーダンスを５０Ωとして算出してある。図に示すように、信号線の巻回数に応じて、信号線側から見た電力線側のインピーダンスが変化し、それに応じて反射損失も変化する。このため、従来の信号送出抽出装置では、信号線側から見た電力線側のインピーダンスと、モデムの出力インピーダンスとのインピーダンス整合を行い、結合効率を大きくするために、電力線の線路インピーダンスに応じて、反射損失が小さくなるように信号線を複数巻回している（特許文献１参照）。
【特許文献１】特開２００１−３１９８１５号公報
【発明の開示】
【発明が解決しようとする課題】
【０００６】
しかしながら、特許文献１の例にあっては、環状のフェライトコア（磁性体）に電力線を挿通するため、電力線側の巻数は常に１となり、信号線側（モデムの出力側）から見た電力線側のインピーダンスは、電力線の線路インピーダンスに信号線の巻回数の２乗を積算した離散値となる。すなわち、電力線側のインピーダンスは、信号線の巻回数の２乗で決まる離散値となり、離散間隔が大きくなるため、インピーダンスの整合をとることにより反射損失を低減することが困難であった。
【０００７】
本発明は、斯かる事情に鑑みてなされたものであり、信号線を磁性体に複数並列に巻回してあることにより、電力線側のインピーダンスの離散間隔を小さくして、従来より、インピーダンス整合をとり易く、反射損失を低減することができる信号送出抽出装置を提供することを目的とする。
【０００８】
また、本発明の他の目的は、信号線夫々の同一極性の一端同士及び他端同士を選択的に接続する接続部を備えることにより、信号線の並列数を変更して、電力線側のインピーダンスを変更することができる信号送出抽出装置を提供することにある。
【０００９】
また、本発明の他の目的は、信号線の並列数を設定する設定指示を受け付ける受付部を備えることにより、所望の電力線側のインピーダンスを容易に設定することができる信号送出抽出装置を提供することにある。
【００１０】
また、本発明の他の目的は、抽出した信号の受信電力と閾値とを比較する比較手段を備えることにより、比較値の大小に応じて、電力線側のインピーダンスに設定することができる信号送出抽出装置を提供することにある。
【課題を解決するための手段】
【００１１】
第１発明に係る信号送出抽出装置は、電力線と、内部に該電力線を挿通する環状の磁性体に巻回した信号線との磁気結合により前記電力線へ信号を送出し、該電力線から信号を抽出する信号送出抽出装置において、前記信号線は、前記磁性体に複数並列に巻回してあることを特徴とする。
【００１２】
第２発明に係る信号送出抽出装置は、第１発明において、前記信号線夫々の同一極性の一端同士及び他端同士を接続する接続部を備え、該接続部は、前記信号線の一端同士及び他端同士を選択的に接続することにより、前記信号線の並列数を変更するようにしてあることを特徴とする。
【００１３】
第３発明に係る信号送出抽出装置は、第２発明において、前記信号線の並列数を設定する設定指示を受け付ける受付部を備え、該受付部は、受け付けた設定指示に基づいて、並列数を指定する指定信号を前記接続部へ出力するようにしてあり、前記接続部は、前記指定信号に基づいて、前記一端同士及び他端同士を選択開閉する選択開閉部を備えることを特徴とする。
【００１４】
第４発明に係る信号送出抽出装置は、第２発明において、抽出した信号の受信電力と閾値とを比較する比較手段を備え、前記接続部は、前記比較手段で比較した結果に基づいて、前記一端同士及び他端同士を選択開閉する選択開閉部を備えることを特徴とする。
【００１５】
第１発明にあっては、信号線を磁性体に複数並列に巻回する。電力線の線路インピーダンスをＺｃ、信号線の巻回数をｎ、並列数をｍとした場合、信号線側から見た電力線側のインピーダンスＺｉｎは、Ｚｃ・ｎ2 ／ｍで表される。すなわち、電力線側のインピーダンス値の離散間隔を、信号線を並列に巻回しない場合に比べて、１／ｍだけ小さくする。
【００１６】
第２発明にあっては、接続部は、信号線夫々の同一極性の一端同士及び他端同士を選択的に接続する。例えば、２つの信号線夫々の一端同士及び他端同士を接続した場合、信号線の並列数は２となる。また、３つの信号線夫々の一端同士及び他端同士を接続した場合、信号線の並列数は３となり、信号線夫々の一端同士及び他端同士を接続することにより、信号線の並列数を変更する。
【００１７】
第３発明にあっては、受付部は、受け付けた設定指示に基づいて、並列数を指定する指定信号を接続部へ出力する。選択開閉部は、入力された指定信号に基づいて、信号線夫々の一端同士及び他端同士を選択開閉する。例えば、指定された並列数が４の場合は、選択開閉部は、４本の信号線夫々の一端同士及び他端同士を選択して閉じる。これにより、受け付けた並列数に応じて、信号線の並列数を変更する。
【００１８】
第４発明にあっては、比較手段は、抽出した信号の受信電力と閾値とを比較する。閾値を、信号線側から見た電力線側のインピーダンスと、モデムの出力インピーダンスとのインピーダンスが整合している場合の受信電力に予め設定しておく。選択開閉部は、比較値が最も小さくなるように、信号線夫々の一端同士及び他端同士を選択開閉して、一端同士及び他端同士を接続する接続点の数を変更することにより、信号線側から見た電力線側のインピーダンスを変更し、信号線側から見た電力線側のインピーダンスをモデムの出力インピーダンスに近づける。
【発明の効果】
【００１９】
第１発明にあっては、信号線を磁性体に複数並列に巻回してあることにより、電力線側のインピーダンスの離散間隔を小さくして、インピーダンス整合をとり易く、反射損失を低減することができる。
【００２０】
第２発明にあっては、信号線夫々の一端同士及び他端同士を選択的に接続する接続部を備えることにより、信号線の並列数を変更して、電力線側のインピーダンスを変更することができ、電力線の線路インピーダンスの大小に拘わらず、反射損失を低減することができる。
【００２１】
第３発明にあっては、信号線の並列数を設定する設定指示を受け付ける受付部を備え、指定された並列数に応じて、信号線の一端同士及び他端同士を選択開閉することにより、所望の電力線側のインピーダンスを容易に設定することができる。
【００２２】
第４発明にあっては、抽出した信号の受信電力と閾値とを比較する比較手段を備え、比較値の大小に応じて、信号線の一端同士及び他端同士を選択開閉することにより、反射損失を最も抑え、効率よく信号の送出及び抽出をすることができる。
【発明を実施するための最良の形態】
【００２３】
実施の形態１
以下、本発明をその実施の形態を示す図面に基づいて説明する。図１は本発明の実施の形態１に係る信号送出抽出装置１０の構成を示すブロック図である。図において、１は環状の磁性体である。磁性体１の内径は、例えば、約４０〜６０ｍｍの寸法を有し、磁性体１の径方向の寸法（肉厚）は約１０〜２０ｍｍであり、磁性体１の長手方向の寸法は約２０〜１００ｍｍである。また、磁性体１の透磁率は、例えば、１００〜２０００である。磁性体１は、環状の磁性体が周方向に二分割された半環状の磁性体片から構成され、図示しない取付け部により、２つの半環状の磁性体片を環状に構成する。
【００２４】
磁性体１は挿通孔１ａを有し、挿通孔１ａには電力線１１を挿通してある。電力線１１は、例えば、電柱を介して布設した中圧配電線であり、三相交流の中圧電圧（例えば、６ｋＶ）を配電する。磁性体１を含む信号送出抽出装置１０は、電力線１１に接続される変圧器の接続端子近傍などに設置してある。磁性体１の内径は、電力線１１の電線の径に応じて設定することができる。電力線１１の線路インピーダンスは、電力線の供給電圧、設置場所などに応じて異なり、例えば、数十Ωから数百Ωの値を有する。
【００２５】
磁性体１には、信号線２を複数本（図においては、５本）並列巻きに複数回巻回してある。信号線２夫々の同一極性（例えば、複数本の信号線をまとめて巻回した場合、巻き始め側又は巻き終り側のいずれか）の一端は、接続端子２ａ、２ｂ、２ｃ、２ｄ、２ｅに接続してあり、接続端子２ａ、２ｂ、２ｃ、２ｄには、接続端子２ａ、２ｂ間を開閉するスイッチＳＷ１、接続端子２ｂ、２ｃ間を開閉するスイッチＳＷ２、接続端子２ｃ、２ｄ間を開閉するスイッチＳＷ３、接続端子２ｄ、２ｅ間を開閉するスイッチＳＷ４を設けてあり、各スイッチＳＷ１、…夫々は、個別にリレー３により開閉制御される。
【００２６】
また、信号線２夫々の他端は、接続端子２ｆ、２ｇ、２ｈ、２ｉ、２ｊに接続してあり、接続端子２ｆ、２ｇ、２ｈ、２ｉには、接続端子２ｆ、２ｇ間を開閉するスイッチＳＷ５、接続端子２ｇ、２ｈ間を開閉するスイッチＳＷ６、接続端子２ｈ、２ｉ間を開閉するスイッチＳＷ７、接続端子２ｉ、２ｊ間を開閉するスイッチＳＷ８を設けてあり、各スイッチＳＷ５、…夫々は、個別にリレー３により開閉制御される。信号線２の一端及び他端は、コネクタ６の端子６ａ、６ｂに接続してある。
【００２７】
リレー３は、スイッチＳＷ１、ＳＷ２、…を備え、各スイッチＳＷ１、ＳＷ２、…は別個独立に選択開閉可能にしてある。なお、リレー３は、スイッチＳＷ１、ＳＷ２、…毎に別個のリレーを用いてもよく、スイッチＳＷ１、ＳＷ２、…をいくつかのグループに分け、グループ毎に別個のリレーを用いる構成でもよい。
【００２８】
入力部５は、信号線２の巻線の並列数を入力する入力キー、入力した並列数を設定する設定キー、設定した並列数をリセットする解除キーなどを備え、入力された並列数に基づいて、入力信号（並列数を指定する指定信号）をホールド回路４へ出力する。
【００２９】
ホールド回路４は、入力部５から入力された入力信号を一旦保持し、保持した入力信号をリレー３へ出力することにより、入力信号に基づいてリレー３の接点駆動を制御し、所要のスイッチＳＷ１、ＳＷ２、…を選択開閉する。
【００３０】
例えば、入力部５で並列数２が入力された場合、入力部５は、入力された並列数に応じた入力信号をホールド回路４へ出力し、入力信号はホールド回路４を通じてリレー３へ出力され、リレー３は、スイッチＳＷ１、ＳＷ５を閉じるとともに、残りの他のスイッチをすべて開く。これにより、信号線２の並列巻線の並列数を２とする。
【００３１】
また、例えば、入力部５で並列数３が入力された場合、入力部５は、入力された並列数に応じた入力信号をホールド回路４へ出力し、入力信号はホールド回路４を通じてリレー３へ出力され、リレー３は、スイッチＳＷ１、ＳＷ２、ＳＷ５、ＳＷ６を閉じるとともに、残りの他のスイッチをすべて開く。これにより、信号線２の並列巻線の並列数を３とする。
【００３２】
モデム２０は、フィルタ２１、変調復調部２２、信号処理部２３、コネクタ２４（端子２４ａ、２４ｂ）を備え、コネクタ６、２４を介して信号送出抽出装置１０に接続される。
【００３３】
フィルタ２１は、信号送出抽出装置１０で抽出した信号から高調波などの不要成分を除去し、処理後の信号を変調復調部２２へ出力する。また、フィルタ２１は、変調復調部２２から入力された変調信号の高調波などの不要成分を除去し、処理後の変調信号を信号送出抽出装置１０へ出力する。
【００３４】
変調復調部２２は、フィルタ２１から入力されたアナログの変調信号をデジタルの信号に変換し、変換後の信号をサブキャリアの数に等しい組のパラレルデータに変換し、変換したパラレルデータを搬送波毎に周波数領域の信号に変換し、変換後の信号に対して、送信されたデータを再生するための復調処理（例えば、直交振幅変復調方式）が行われ、処理後のデータを信号処理部２３へ出力する。
【００３５】
また、変調復調部２２は、信号処理部２３から入力されたデータを直交する複数の搬送波夫々に分散し、分散したデータを各搬送波に割り当て、割り当てられたデータ（シンボル）に基づいて直交振幅変調を行うことにより、変調信号に変換し、変換したデジタル変調信号をアナログ変調信号に変換し、フィルタ２１へ出力する。
【００３６】
信号処理部２３は、復調されたデータに基づいて、データに誤りがあるか否かを判定し、誤りがある場合には誤り訂正を行い、訂正後のデータを受信側へ出力し、読み出したデータに誤りがない場合には、該データを受信側へ出力する。
【００３７】
信号処理部２３は、送信側から入力されるビット列から構成されるデータビットに誤り訂正符号を付加してデータを符号化し、符号化したデータを変調復調部２２へ出力する。
【００３８】
モデム２０の出力インピーダンスＺｏは、例えば、コネクタ２４からモデム２０側のインピーダンスである。また、信号線側から見た電力線のインピーダンスＺｉｎは、電力線１１の線路インピーダンスをＺｃ、信号線の巻回数をｎ、並列数をｍとした場合、Ｚｉｎ＝Ｚｃ・ｎ２／ｍで表される。信号線側から見た電力線のインピーダンスＺｉｎは、コネクタ６から信号送出抽出装置１０側を見たインピーダンスである。
【００３９】
なお、図においては、磁性体１に信号線２を５本並列に２回巻回してあるが、並列数及び巻回数は、これに限定されるものではない。
【００４０】
図２は信号線側から見た電力線側のインピーダンスの例を示す説明図であり、図３は反射損失の例を示す説明図である。図２、図３において、電力線の線路インピーダンスは２５Ω、モデム２０の出力インピーダンスは５０Ωとしている。また、図において、並列数は、磁性体１に信号線２を何本並列に巻回してあるかを示し、巻回数は、磁性体１に信号線２を何回巻回してあるかを示す。
【００４１】
図２に示すように、並列数が１の場合（従来例の場合）、巻回数に応じて、電力線側のインピーダンスは、２５、１００、２２５、４００、６２５（Ω）というように巻回数の２乗に比例して、離散間隔の大きな離散値を有する。一方、並列数を２〜８にすることにより、各巻回数における電力線側のインピーダンスの離散間隔が小さくなるとともに、電力線側のインピーダンスをモデム２０の出力インピーダンスに近づけることができる。
【００４２】
また、図３に示すように、並列数を２〜８にすることにより、電力線側のインピーダンスをモデム２０の出力インピーダンスに近づけることができ、反射損失を低減することができる。信号線２の巻回数に対応して並列数を設定することにより、反射損失を許容範囲である１ｄＢ以下にすることが可能である。
【００４３】
図４は信号線側から見た電力線側のインピーダンスの例を示す説明図であり、図５は反射損失の例を示す説明図である。図４、図５において、電力線の線路インピーダンスは１５０Ω、モデム２０の出力インピーダンスは５０Ωとしている。
【００４４】
図４に示すように、並列数が１の場合（従来例の場合）、巻回数に応じて、電力線側のインピーダンスは、１５０、６００、１３５０、２４００、３７５０（Ω）というように巻回数の２乗に比例して、離散間隔の大きな離散値を有する。一方、並列数を２〜８にすることにより、各巻回数における電力線側のインピーダンスの離散間隔が小さくなるとともに、電力線側のインピーダンスをモデム２０の出力インピーダンスに近づけることができる。
【００４５】
また、図５に示すように、並列数を２〜８にすることにより、電力線側のインピーダンスをモデム２０の出力インピーダンスに近づけることができ、反射損失を低減することができる。信号線２の巻回数に対応して並列数を設定することにより、反射損失を許容範囲である１ｄＢ以下にすることが可能である。
【００４６】
以上説明したように、本発明にあっては、磁性体１に信号線２を複数本並列に巻回し、信号線２夫々の同一極性の一端同士及び他端同士をスイッチＳＷ１、ＳＷ２、…を介して接続するようにしてあることにより、信号線２の並列数を変更して、モデム２０の使用周波数帯域に応じて電力線１１の線路インピーダンスが変化した場合でも、電力線１１の線路インピーダンスに合わせて、信号線側から見た電力線側のインピーダンスをモデム２０の出力インピーダンスに近づけることができ、反射損失を低減することができる。
【００４７】
実施の形態２
実施の形態１では、入力部５で入力された並列数に基づいて、信号線２の並列数を変更する構成であったが、抽出した信号の受信電力に基づいて、反射損失を最も少なくすることもできる。図６は本発明の実施の形態２に係る信号送出抽出装置１０の構成を示すブロック図である。実施の形態１との相違点は、実施の形態１における入力部５に代えて、信号対雑音比比較部７、記憶部８を備える点である。
【００４８】
変調復調部２２は、フィルタ２１から入力された信号を、デジタル信号に変換し、変換後のデータを搬送波毎に周波数領域の信号に変換する。変調復調部２２は、変換後の信号をサンプリングし、サンプリングした全信号のベクトルの平均値に基づいて信号対雑音比ＳＮを算出し、算出した信号対雑音比ＳＮ（抽出した信号の受信電力に対応する）を信号対雑音比比較部７へ出力する。
【００４９】
なお、信号対雑音比ＳＮを算出は、以下のように行う。まず、サンプリングした信号をＩ（In phase）成分と、Ｑ（Quadrature）成分とに分解し、分解した信号ベクトルｒ１、ｒ２、…とする。サンプリングした全信号の信号ベクトルのＩ成分及びＱ成分夫々の平均値を算出し、これを平均信号ベクトルＳとする。さらに、この平均信号ベクトルＳと各信号ベクトルｒ１、ｒ２、…との差分を雑音ベクトルｎ１、ｎ２、…とする。この雑音成分の標準偏差σを二乗したものが雑音電力Ｎであることが知られており、平均信号ベクトルＳと雑音電力Ｎとの比により、信号対雑音比ＳＮを算出する。
【００５０】
信号対雑音比比較部７は、変調復調部２２から入力された信号対雑音比ＳＮと、予め記憶部８に記憶された閾値（例えば、信号線側から見た電力線側のインピーダンスと、モデムの出力インピーダンスとのインピーダンスが整合している場合の信号対雑音比）とを比較し、比較結果を記録するとともに、信号線２の並列数を変更するための制御信号をホールド回路４へ出力する。
【００５１】
ホールド回路４は、入力された制御信号に基づいてリレー３の接点駆動を制御し、所要のスイッチＳＷ１、ＳＷ２、…を開閉する。
【００５２】
変調復調部２２及び信号対雑音比比較部７は、上述の処理をすべての並列数に対して繰り返し行い、信号対雑音比比較部７は、記録した比較結果に基づいて、信号対雑音比ＳＮと閾値との差が最も小さいときの並列数を設定すべく制御信号をホールド回路４へ出力する。ホールド回路４は、入力された制御信号に基づいてリレー３の接点駆動を制御し、所要のスイッチＳＷ１、ＳＷ２、…を開閉する。なお、図１と同一の箇所については、同一の符号を付し、説明を省略する。
【００５３】
これにより、抽出した信号の信号対雑音比（受信電力）に応じて信号線の並列数を順次変更し、信号対雑音比と閾値との差が最も小さい場合の並列数に設定することができ、電力線の線路インピーダンスに拘わらず、反射損失を小さくすることができ、効率よく信号の送出抽出をすることができる。
【００５４】
上述の実施の形態では、信号線の一端同士及び他端同士の開閉にリレーを用いる構成であったが、リレーは有接点方式でも、半導体素子を用いた無接点方式でもよい。
【００５５】
上述の実施の形態では、入力部５で並列数を入力して、信号線２の並列数を変更するもの、及び信号の信号対雑音比に基づいて、信号線２の並列数を変更するものであったが、信号線２の並列数を変更する方法は、これに限定されるものではない。例えば、信号線２夫々の一端及び他端に接続端子を設け、接続端子同士を選択的にジャンパー線で接続するようにしてもよい。この場合は、簡易な構成で信号線２の並列数を変更することができる。
【００５６】
上述の実施の形態では、信号送出抽出装置１０とモデム２０とは別個の装置であったが、モデム２０の有する機能を信号送出抽出装置１０に統合した構成であってもよい。
【００５７】
上述の実施の形態においては、変調方式は直交振幅変調を用いる構成であったが、これに限定されるものではなく、他の変調方式（例えば、振幅変調、位相変調など）を使用する構成でもよい。
【００５８】
上述の実施の形態においては、信号の受信電力に基づいた信号対雑音比を比較して信号線の並列数を変更する構成であったが、信号対雑音比に代えて、信号の受信電力を比較する構成であってもよい。いずれの場合も、信号の受信電力に基づいて信号線の並列数を変更する点では共通である。
【００５９】
上述の実施の形態においては、信号対雑音比を比較して信号線の並列数を変更する構成であったが、これに限定されるものではなく、例えば、受信した信号に基づいて通信速度を算出し、算出した通信速度を比較するものでもよく、またビット伝送エラー率などの通信品質を算出して比較する構成であってもよい。これらの場合には、予め反射損失と通信速度又は通信品質との相関を算出しておくことにより、インピーダンス不整合を低減することが可能である。
【図面の簡単な説明】
【００６０】
【図１】本発明の実施の形態１に係る信号送出抽出装置の構成を示すブロック図である。
【図２】信号線側から見た電力線側のインピーダンスの例を示す説明図である。
【図３】反射損失の例を示す説明図である。
【図４】信号線側から見た電力線側のインピーダンスの例を示す説明図である。
【図５】反射損失の例を示す説明図である。
【図６】本発明の実施の形態２に係る信号送出抽出装置の構成を示すブロック図である。
【図７】従来の信号線側から見た電力線側のインピーダンス及び反射損失の例を示す説明図である。
【図８】従来の信号線側から見た電力線側のインピーダンス及び反射損失の例を示す説明図である。
【符号の説明】
【００６１】
１  磁性体
２  信号線  
３  リレー
４  ホールド回路
５  入力部
７  信号対雑音比比較部
８  記憶部
１１  電力線
２２  変調復調部
【図１】
2007020114.tif 000003
【図２】
2007020114.tif 000004
【図３】
2007020114.tif 000005
【図４】
2007020114.tif 000006
【図５】
2007020114.tif 000007
【図６】
2007020114.tif 000008
【図７】
2007020114.tif 000009
【図８】
2007020114.tif 000010